(57)【要約】【課題】インパクトのある展示が可能な新たな包装箱を提供する。【解決手段】外周部１０と、外周部１０の第１外壁１１に連続する閉塞壁４１とを備え、閉塞壁４１の側縁と、第１外壁１１に隣接する第２外壁１２とを連続する起上部４６を設けるとともに、起上部４６に、閉塞壁４１の側縁と第１外壁１１とが交わる隅部から斜めに傾斜して延びる折曲線４８を設け、折曲線４８を境界として閉塞壁４１に連続する非貼着部５２と第２外壁１２に連続する貼着部５３とに区画し、貼着部５３を第２外壁１２に貼着するとともに、閉塞壁４１に縦方向に延びる内筒部５５を有する内容器５４を設け、第１外壁１１と第２外壁１２とを平坦になるように展開すると、起上部４６が連動して展開され、内容器５４が第１外壁１１に対して起立する。【選択図】図３
2008105721.tif 000002
【特許請求の範囲】
【請求項１】
横方向に連続する３以上の外壁を有する外周部と、
前記外周部の第１外壁に連続し、前記外周部の縦方向の一端側を閉塞する閉塞壁とを備え、
前記閉塞壁の側縁と、前記第１外壁に対して前記閉塞壁と同一側の側縁に隣接する第２外壁とを連続する起上部を設けるとともに、
前記起上部に、前記閉塞壁の側縁と第１外壁とが交わる隅部から斜めに傾斜して延びる折曲線を設け、該折曲線を境界として前記閉塞壁に連続する非貼着部と前記第２外壁に連続する貼着部とに区画し、
前記貼着部を前記第２外壁に貼着するとともに、前記閉塞壁に縦方向に延びる内筒部を有する内容器を設け、
前記第１外壁と第２外壁とを平坦になるように展開すると、前記起上部が連動して展開され、前記内容器が第１外壁に対して起立することを特徴とする包装箱。
【請求項２】
前記外周部の縦方向の一端縁から所定間隔をもった位置を前記閉塞壁で閉塞するために、前記第１外壁に第１折返部を連設し、この第１折返部を介して前記閉塞壁を前記第１外壁に連設したことを特徴とする請求項１に記載の包装箱。
【請求項３】
前記第２外壁に第２折返部を連設し、該第２折返部を介して前記起上部を前記第２外壁に連設するとともに、前記第２折返部に前記貼着部を貼着し、前記第１折返部上に前記内容器を引き上げて起立させるようにしたことを特徴とする請求項２に記載の包装箱。
【請求項４】
前記閉塞壁において、前記第１外壁と反対側に位置する端縁に前記内容器を連設し、前記閉塞壁が第１外壁に重畳した状態の先端に前記内容器を押し出して起立させるようにしたことを特徴とする請求項１または請求項２に記載の包装箱。
【請求項５】
前記内容器において、前記閉塞壁と連続した端縁と反対側に位置する端縁に面取部を設けたことを特徴とする請求項４に記載の包装箱。
【発明の詳細な説明】
【技術分野】
【０００１】
本発明は、ギフト商品などを収容し、展開することにより収容した商品を展示可能な包装箱に関するものである。
【背景技術】
【０００２】
この種のギフト商品は、販売の際に店頭にて実際の商品が見えるように展示して販売されることがある。この際、包装箱に展示機能を具備させ、例えば包装箱を閉塞した状態から開放または展開することにより、収容した商品を見易い状態で現出させることが望まれる。
【０００３】
このような包装箱に関連する先行技術文献情報としては次のものがある。
【０００４】
【特許文献１】実開昭６１−３５１３１号公報
【０００５】
この特許文献には、矩形状をなす底壁の外周縁にそれぞれ側壁が連設されるとともに、対向する一対の側壁の一方に蓋壁を連設した包装箱が記載されている。また、側壁の他方には、該側壁の内側に重畳される内壁が連設され、この内壁の先端に底壁に重畳される内底壁が連設されている。そして、この内底壁には、蓋壁の開閉操作に連動して該内底壁および内壁を引き出す連結壁が連設され、この連結壁の先端に蓋壁に貼着するための貼着壁が連設されている。
【０００６】
そして、蓋壁を開放した状態で、内部の商品を一旦取り出し、蓋壁の開放に連動して浮き出た内壁および内底壁に商品を傾斜させて載置することにより、購入者が見易い状態で展示できるように構成している。
【０００７】
しかしながら、この包装箱は、商品の展示状態とする場合、一旦商品を取り出す必要があるため面倒であるうえ、インパクトが少ない。
【発明の開示】
【発明が解決しようとする課題】
【０００８】
本発明は、従来の問題に鑑みてなされたもので、インパクトのある展示が可能な新たな包装箱を提供することを課題とするものである。
【課題を解決するための手段】
【０００９】
前記課題を解決するため、本発明の包装箱は、横方向に連続する３以上の外壁を有する外周部と、前記外周部の第１外壁に連続し、前記外周部の縦方向の一端側を閉塞する閉塞壁とを備え、前記閉塞壁の側縁と、前記第１外壁に対して前記閉塞壁と同一側の側縁に隣接する第２外壁とを連続する起上部を設けるとともに、前記起上部に、前記閉塞壁の側縁と第１外壁とが交わる隅部から斜めに傾斜して延びる折曲線を設け、該折曲線を境界として前記閉塞壁に連続する非貼着部と前記第２外壁に連続する貼着部とに区画し、前記貼着部を前記第２外壁に貼着するとともに、前記閉塞壁に縦方向に延びる内筒部を有する内容器を設け、前記第１外壁と第２外壁とを平坦になるように展開すると、前記起上部が連動して展開され、前記内容器が第１外壁に対して起立する構成としている。
【００１０】
この包装箱は、第１外壁に対して隣接する第２外壁が平坦になるように展開させることにより、起上部を介して連続させた内容器を連動させ、起立させた展示状態とすることができる。そのため、包装箱自体にインパクトがあり、販売促進効果を得ることができる。
【００１１】
この包装箱では、前記外周部の縦方向の一端縁から所定間隔をもった位置を前記閉塞壁で閉塞するために、前記第１外壁に第１折返部を連設し、この第１折返部を介して前記閉塞壁を前記第１外壁に連設することが好ましい。このようにすれば、内部に収容する商品の緩衝効果を得ることができる。
【００１２】
また、前記第２外壁に第２折返部を連設し、該第２折返部を介して前記起上部を前記第２外壁に連設するとともに、前記第２折返部に前記貼着部を貼着し、前記第１折返部上に前記内容器を引き上げて起立させることが好ましい。このようにすれば、抵抗なく展開作業を行うことができるため、作業性の向上を図ることができる。
【００１３】
または、前記閉塞壁において、前記第１外壁と反対側に位置する端縁に前記内容器を連設し、前記閉塞壁が第１外壁に重畳した状態の先端に前記内容器を押し出して起立させることが好ましい。このようにすれば、内容器を第１外壁の中間位置に起立させることができるため、展示状態での安定性を向上できる。
【００１４】
この場合、前記内容器において、前記閉塞壁と連続した端縁と反対側に位置する端縁に面取部を設けることが好ましい。このようにすれば、展開作業時の抵抗を低減できる。
【発明の効果】
【００１５】
本発明の包装箱では、第１外壁に対して隣接する第２外壁が平坦になるように展開させることにより、起上部を介して内容器を連動させ、該内容器を起立させた展示状態とすることができるため、包装箱自体にインパクトを与えることができる。その結果、販売促進効果を向上することができる。
【発明を実施するための最良の形態】
【００１６】
以下、本発明の実施の形態を図面に従って説明する。
【００１７】
図１乃至図６は、本発明の第１実施形態に係る包装箱を示す。この包装箱は、例えばインスタントコーヒーの粉を収容した瓶などの商品を収容するもので、薄肉の段ボール紙またはボール紙（単紙）を、周知のダイカッター方式の紙器打抜装置によって図６に示す連続した一枚のブランクとして打ち抜き、所定部位を貼着した状態で折り曲げることにより、組み立てられる。
【００１８】
この包装箱のブランクは、図６に示すように、筒状に囲繞する外周部１０が、３面の外壁１１〜１３と、２面のフラップ１５，１９により構成されている。具体的には、ブランクの略中央には矩形状をなす第１外壁１１を備え、この第１外壁１１の横方向である両側縁（図６では上下）に第２外壁１２および第３外壁１３が連設されている。そして、これらの境界部分には、肉厚を圧縮するように罫を入れて形成した折曲線１４が設けられている。
【００１９】
下側に位置する第２外壁１２の側縁には、第４の外壁を構成する内フラップ１５が連設されている。この内フラップ１５の先端縁は、円弧状に湾曲した形状をなす。この内フラップ１５と第２外壁１２との境界部分には、中央に第１係止孔１６が設けられ、この第１係止孔１６の両側に折曲線１７が設けられている。第１係止孔１６は、第２外壁１２から内フラップ１５にかけて延びる一対の切断線１６ａ，１６ａと、これら切断線１６ａ，１６ａにおいて内フラップ１５の側の端部間にかけて延びる切断線１６ｂとからなる。そして、本実施形態では、切断線１６ｂの中央に位置するように、第２外壁１２に半円形状の打抜部１８が設けられている。
【００２０】
上側に位置する第３外壁１３の側縁には、第４の外壁を構成する外フラップ１９が連設されている。この外フラップ１９は、内フラップ１５の表面に重畳するように組み立てられるもので、第３外壁１３との境界部分には折曲線２０が設けられている。また、この外フラップ１９において、中央に向けて先細に傾斜された先端縁には、第１係止孔１６に挿入係止される係止片２１が連設され、その境界部分に折曲線２２が設けられている。
【００２１】
このように横方向に連続した外壁１１〜１３およびフラップ１５，１９のうち、図６中右側に位置する第１外壁１１の縦方向の一端には、矩形状をなす蓋壁２３が連設され、その境界部分に折曲線２４が設けられている。また、この蓋壁２３の先端には、フラップ１５，１９からなる対向する第４の外壁の内面に挿入係止される係止片２５が連設されている。この係止片２５と蓋壁２３との境界部分には、両側縁にＬ字形状をなす切込線２６，２６が設けられ、これら切込線２６，２６の間に折曲線２７が設けられている。
【００２２】
また、蓋壁２３の両側縁と、該蓋壁２３を連設した第１外壁１１に隣接する第２および第３外壁１２，１３との間には、連続部２８が設けられている。そして、この連続部２８と、蓋壁２３および第２，第３外壁１２，１３との各境界部分には折曲線２９が設けられている。また、連続部２８には、第１外壁１１、蓋壁２３、および、第２または第３外壁１２，１３が交わる隅部から略４５度の傾斜角度で外向きに傾斜する折曲線３０が設けられている。この折曲線３０は、隅部の所定領域に設けた切込線３１と、該切込線３１の端部から外向きに延びるリード罫３２とからなる。なお、リード罫３２は、肉厚を圧縮した折曲線に沿ってミシン目状をなすように所定間隔をもって切断線を設けたものである。そして、本実施形態の連続部２８は、前記折曲線３０により、蓋壁２３に連続した重畳部３３と、第２または第３外壁１２，１３に連続したフラップ部３４とに区画される。また、連続部２８の先端角部は、略Ｌ字形状をなす角面取部３５とされている。
【００２３】
また、各外壁１１〜１３において、図６中左側に位置する縦方向の他端には、それぞれ矩形状をなす第１折返部３６、第２折返部３７および第３折返部３８が連設され、その各境界部分に折曲線３９が設けられている。また、隣接する折返部３６〜３８の境界部分には、前記と同様のリード罫４０が設けられている。
【００２４】
そのうち、第１折返部３６には、外壁１１〜１３およびフラップ１５，１９により囲繞された外周部１０の一端を閉塞する閉塞壁４１が連設されている。この閉塞壁４１と第１折返部３６との境界部分には、中央に位置するように折曲線４２が設けられ、その両側にリード罫４３が設けられている。そして、本実施形態では、第１折返部３６内を迂回するように折曲線４２の両端間にかけて切断線４４が設けられ、その内部に、後述する内容器５４を組み立て状態に維持するための切起係止片４５が設けられている。この切起係止片４５は、両側に係止爪部が形成されたものである。
【００２５】
また、閉塞壁４１の両側縁には、第２および第３折返部３７，３８を介して第２および第３外壁１２，１３に連続する略正方形状の起上部４６が設けられている。この起上部４６と、閉塞壁４１および第２，第３折返部３７，３８との境界部分には、リード罫４７が設けられている。また、起上部４６には、閉塞壁４１の両側縁と、第２または第３折返部３７，３８とが交わる隅部から略４５度の傾斜角度で外向きに傾斜する折曲線４８が設けられている。この折曲線４８は、隅部の所定領域に設けた切込線４９と、略中央部分に設けたＬ字状切断線５０と、切込線４９とＬ字状切断線５０との端部間およびＬ字状切断線５０の他端から外向きに延びるリード罫５１とからなる。そして、本実施形態の起上部４６は、前記折曲線４８により、閉塞壁４１に連続した非貼着部５２と、第２および第３折返部３７，３８を介して第２および第３外壁１２，１３に連続した貼着部５３とに区画される。また、Ｌ字状切断線５０は、閉塞壁４１の側に向けて延びるように設けることにより、貼着部５３の面積を増大させるとともに、折曲領域の低減を図っている。
【００２６】
そして、閉塞壁４１の先端縁には、内容器５４を構成する内筒部５５が連設され、その境界部分に折曲線５６が設けられている。具体的には、本実施形態の内容器５４は、前記閉塞壁４１で底が構成され、各外壁１１〜１３に沿って縦方向に延びる内筒部５５で外周壁が構成される上端開口のものである。内筒部５５は、閉塞壁４１に連続した第１壁部５７と、該第１壁部５７の横方向両側に連続した第２壁部５８および第３壁部５９と、第２壁部５８に連続した第４壁部６０とを備えている。また、この第４壁部６０には、反対側に位置する第３壁部５９の縁に貼着するための糊代部６１が設けられている。そして、これらの各境界部分には、折曲線６２が設けられている。
【００２７】
そのうち、第１壁部５７および第４壁部６０には、組立状態で閉塞壁４１と反対側に位置する開口縁に、略凹字形状に打ち抜いた打抜凹部６３が設けられている。また、組立状態で第１折返部３６に対応する第４壁部６０には、縦方向に突出する係止用フラップ６４が連設されている。そして、この係止用フラップ６４と第４壁部６０との境界部分には、中央に切起係止片４５が挿入係止される第２係止孔６５が設けられ、この第２係止孔６５の両側に折曲線６６が設けられている。
【００２８】
このように打ち抜かれたブランクは、図１に示すように、第２壁部５８に対して第４壁部６０を折り曲げるとともに、第１壁部５７に対して第３壁部５９を折り曲げ、重畳する糊代部６１の表面と第３壁部５９の裏面とを酢酸ビニル系の接着剤やホットメルトなどで貼着する。また、第１から第３の折返部３６〜３８に対して閉塞壁４１および一対の起上部４６を折り曲げ、第２および第３折返部３７，３８の表面と起上部４６の貼着部５３の表面とを貼着する。この際、切起係止片４５は、閉塞壁４１と面一に連続するように、第１折返部３６から切り起こした状態とする。その後、第１から第３の外壁１１〜１３に対して第１から第３の折返部３６〜３８を折り曲げ、これらの裏面同士を貼着する。
【００２９】
これにより、起上部４６は、閉塞壁４１で閉塞する外周部１０の端部の縁に向けて延びるように配置される。そして、本発明の包装箱は、このように貼り合わせた平坦な状態で、所定の納入先に納品される。
【００３０】
この包装箱を組み立てて使用する場合には、まず、図２に示すように、内容器５４を構成する第１から第４の壁部５７〜６０を四角筒状に広げた後、係止用フラップ６４を内向きに折り曲げる。ついで、閉塞壁４１に対して内筒部５５を折り曲げて、閉塞壁４１に連続した切起係止片４５を第２係止孔６５に差し込んで係止する。
【００３１】
その後、図３に示すように、起上部４６の貼着部５３に対して非貼着部５２を折り曲げ、これらを重畳させるとともに、内容器５４が外周部１０と同軸になるように倒し込む。これにより、起上部４６および折返部３７，３８を介して連続した第２および第３外壁１２，１３が連動して、第１外壁１１に対して折れ曲がる。なお、この折曲作業は、第２および第３外壁１２，１３を第１外壁１１に対して折り曲げながら内容器５４を倒し込むようにして、連動させて起上部４６を折り曲げてもよく、その手順は作業者の希望に応じて行うことができる。
【００３２】
このようにして、内容器５４と第２および第３外壁１２，１３の折り曲げを続けると、図４に示すように、第１から第３の外壁１１〜１３の内部に内容器５４が完全に収容された状態になる。
【００３３】
そして、この状態で、内容器５４に所定の商品を収容させ、第２外壁１２に対して内フラップ１５を折り曲げた後、第３外壁１３に対して外フラップ１９を折り曲げ、第１係止孔１６に係止片２１を挿入係止する。ついで、中央の折曲線３０に沿って連続部２８を折り曲げながら、第１外壁１１に対して蓋壁２３を折り曲げ、フラップ１５，１９からなる第４の外壁の内面に係止片２５を挿入係止する。これにより、図５に示すように、外周部１０の縦方向の一端縁から所定間隔をもった位置を前記閉塞壁４１で閉塞し、他端縁を蓋壁２３で閉塞した封緘状態とすることができる。
【００３４】
このように、本発明の包装箱は、貼着が必要な箇所を貼着した状態で、所定商品の販売先に納品するため、使用時には貼着作業が不要であり、所定部位を折り曲げて係止片２１，２５，４５を挿入係止するだけで、組み立てることができる。そのため、組立作業性を向上できる。しかも、外周部１０は平面状に展開できるとともに、内筒部５５は偶数角の多角形状をなすため、納品時および非使用時には図１に示す平坦な状態に折り畳んだ状態とすることができる。そのため、簡単に積み重ねることが可能であり、広い保管スペースも不要である。
【００３５】
一方、この包装箱に収容した商品を店頭で展示する場合には、前記とは逆に、図４に示すように、係止片２５を外周部１０から引き抜いて蓋壁２３の側を開放させるとともに、第１係止孔１６から係止片２１を引き抜いて外周部１０の一側を開放する。
【００３６】
この状態で、第２および第３外壁１２，１３が第１外壁１１に対して平坦になるように展開させる。これにより、第２および第３外壁１２，１３と一緒に貼着部５３が展開されることにより、起上部４６が連動して平坦になるように展開される。その結果、この起上部４６が連続した閉塞壁４１が図３中左側端に引っ張られることにより、商品を収容した内容器５４が、第１折返部３６と閉塞壁４１との境界部分を支点として起き上がる。
【００３７】
そして、第２および第３外壁１２，１３を第１外壁１１に対して完全に平坦な状態に展開すると、図２に示すように、閉塞壁４１が第１折返部３６を介して第１外壁１１に重畳し、水平方向に延びるように位置する第１外壁１１に対して、内容器５４が垂直方向に起立した状態をなす。
【００３８】
このように、本発明の包装箱は、展示状態とする際には、商品を取り出すことなく、所定の係止片２１，２５を外して展開するだけで、予め設定した展示状態とすることができる。しかも、この展示作業は、内容器５４に収容した横倒し状態の商品が、展開に連動して引き上げるように起立するものであるため、販売商品以外にも包装箱自体にインパクトがあり、販売促進効果も得ることができる。また、この展示状態では、包装箱の裏面が表面に露出した状態をなすため、この裏面に販売商品に従った広告を印刷しておくことにより、更に販売促進効果を得ることができる。
【００３９】
図７から図１２は第２実施形態の包装箱を示す。この第２実施形態の包装箱は、外周部１０と内容器５４とを別体のブランクで構成し、貼着により一体化した内容器５４を、第１外壁１１に沿って押し出すようにして起立させるようにした点で、第１実施形態と大きく相違している。なお、第１実施形態と同一構成のものは、同一符号を付して詳細な説明を省略する。
【００４０】
具体的には、第２実施形態の包装箱は、図１２（Ａ）に示す包装箱本体６７のブランクと、図１２（Ｂ）に示す内容器５４のブランクとを、紙器打抜装置によって打ち抜き、これらの予め設定した部位を貼着することにより、一体化されるものである。
【００４１】
図１２（Ａ）に示すように、包装箱本体６７のブランクは、第１実施形態と同様に、筒状に囲繞する外周部１０として、横方向に連続した３面の外壁１１〜１３と、２面のフラップ１５，１９とを備えている。そして、第２外壁１２と内フラップ１５との境界部分には第１係止孔１６および打抜部１８が設けられ、外フラップ１９の先端には係止片２１が連設されている。また、第１外壁１１には、蓋壁２３が連設され、この蓋壁２３に係止片２５が連設されている。さらに、蓋壁２３の両側縁と、第２および第３外壁１２，１３との間には、折曲線３０によって重畳部３３とフラップ部３４とに区画した連続部２８が設けられている。
【００４２】
そして、第２実施形態の包装箱本体６７は、第１外壁１１の端縁には第１折返部３６を連設し、他の第２および第３外壁１２，１３には折返部３７，３８を連設していない。また、第１折返部３６には、第１実施形態と同様に、外周部１０の一端を閉塞する閉塞壁４１が連設されている。但し、本実施形態の第１折返部３６は、第１実施形態と比較して縦方向が細幅に構成され、内部に収容する商品に対する緩衝空間が必要最低限となる寸法設定とされている。また、第１折返部３６には、第１実施形態に示す切起係止片４５は設けていない。
【００４３】
また、閉塞壁４１の両側縁には、第１外壁１１と隣接する第２および第３外壁１２，１３に連続する起上部４６が設けられている。この起上部４６と、閉塞壁４１および第２，第３外壁３７，３８との境界部分には、リード罫４７の代わりに肉厚を圧縮するように罫を入れて形成した折曲線６８が設けられている。この起上部４６には、閉塞壁４１の両側縁と第１折返部３６とが交わる隅部から略４５度の傾斜角度で外向きに傾斜する折曲線６９が設けられている。この折曲線６９は、隅部の所定領域に設けた切込線４９と、該切込線４９の端から外向きに延びるリード罫５１とからなり、Ｌ字状切断線５０を設けていない点で、第１実施形態と相違している。この折曲線６９により、第２実施形態の起上部４６は、閉塞壁４１に連続した非貼着部５２と、第２および第３外壁１２，１３に連続した貼着部５３とに区画される。
【００４４】
さらに、第２実施形態の閉塞壁４１には、縦方向の端縁に内容器５４を貼着するための貼着壁７０が連設されている。そして、この貼着壁７０と閉塞壁４１との境界部分には、中央に位置するように切断線７１が設けられ、この切断線７１の両端に折曲線７２が設けられている。前記切断線７１は、貼着壁７０を閉塞壁４１に重畳させるように屈曲させる目的により、紙の腰による反発力を低減させるため、境界部分の略半分の領域を占める寸法で形成されている。また、貼着壁７０の横方向の両側縁には、凹状に切り欠いた切欠部７３が設けられている。
【００４５】
図１２（Ｂ）に示すように、別体からなる内容器５４のブランクは、第１実施形態と同様に、内筒部５５を構成する第１〜第４の壁部５７〜６０を備え、一端に位置する第４壁部６０に他端に位置する第３壁部５９の縁に貼着する糊代部６１を連設している。また、組立状態で対向する第１壁部５７と第４壁部６０には打抜凹部６３が設けられている。そのうち、第４壁部６０は、他の壁部５７〜５９と比較して縦方向の全長が短くなるように寸法設定されている。
【００４６】
そして、第２実施形態では、前記第４壁部６０において、打抜凹部６３と反対側の縁に面取部７４が連設され、その境界部分に折曲線７５が設けられている。また、この面取部７４の端縁には、包装箱本体６７の貼着壁７０に重畳して貼着される切欠部７６ａが設けられた同一形状の底壁７６が連設され、その境界部分に折曲線７７が設けられている。そして、この底壁７６の端縁には、対向する第１壁部５７の内面に挿入係止される係止片７８が連設されている。この係止片７８と底壁７６との境界部分には、両側縁にＬ字形状をなす切込線７９，７９が設けられ、これら切込線７９，７９の間に折曲線８０が設けられている。
【００４７】
さらに、第２実施形態では、第２および第３壁部５８，５９において、底壁７６を突設した同一方向の端縁に、内フラップ８１Ａ，８１Ｂが連設されている。これら内フラップ８１Ａ，８１Ｂと第２および第３壁部５８，５９との境界部分には、中間部分に位置するように略凹字形状をなす切込線８２が設けられ、その両端に折曲線８３が設けられている。なお、前記切込線８２は、内フラップ８１内を迂回するように設けられている。これにより、その内部には、第２および第３壁部５８，５９と面一に連続する突片８４が設けられる。この突片８４は、組立状態で前記切欠部７３，７６ａと対応する位置に設けられている。
【００４８】
このように打ち抜かれた包装箱本体６７のブランクは、図７に示すように、第１から第３の外壁１１〜１３に対して第１折返部３６および起上部４６を折り曲げ、第２および第３外壁１２，１３の裏面と起上部４６の貼着部５３の裏面とを貼着する。また、内容器５４のブランクは、第２壁部５８に対して第４壁部６０を折り曲げるとともに、第１壁部５７に対して第３壁部５９を折り曲げ、重畳する糊代部６１の表面と第３壁部５９の裏面とを貼着する。そして、内容器５４の係止片７８が包装箱本体６７の閉塞壁４１上に位置するように、内容器５４の底壁７６を包装箱本体６７の貼着壁７０の上面に配置し、これらの表面同士を貼着する。これにより、内容器５４は、第１外壁１１において閉塞壁４１の端縁に連続した状態になる。また、面取部７４は、閉塞壁４１と連続した端縁と反対側である第１外壁１１の側に位置する。
【００４９】
この状態では、起上部４６は、第１実施形態とは逆に、外周部１０において閉塞壁４１の側から反対側の蓋壁２３の側に向けて延びるように配置されている。そして、第２実施形態の包装箱は、第１実施形態と同様に、貼着により一体化され、所定箇所を貼り合わせた平坦な状態で、所定の納入先に納品される。
【００５０】
この包装箱を組み立てて使用する場合には、まず、図８に示すように、内容器５４の第１から第４の壁部５７〜６０を四角筒状に広げた後、内フラップ８１Ａ，８１Ｂを内向きに折り曲げるとともに、第４壁部６０に対して底壁７６を折り曲げ、先端の係止片７８を対向する第１壁部５７の内面に挿入係止する。
【００５１】
その後、図９に示すように、起上部４６の貼着部５３に対して非貼着部５２を折り曲げ、これらを重畳させるとともに、内容器５４が外周部１０と同軸になるように、底壁７６と閉塞壁４１とを重畳させるように折り曲げる。これにより、起上部４６と連続した第２および第３外壁１２，１３が連動して、第１外壁１１に対して折れ曲げる。なお、この折曲作業は、第２および第３外壁１２，１３を第１外壁１１に対して折り曲げながら内容器５４を倒し込むようにして、連動させて起上部４６を折り曲げてもよく、その手順は作業者の希望に応じて行うことができる。
【００５２】
このようにして、内容器５４と第２および第３外壁１２，１３の折り曲げを続けると、図１０に示すように、第１から第３の外壁１１〜１３の内部に内容器５４が完全に収容された状態になる。
【００５３】
そして、この状態で、内容器５４に所定の商品を収容させ、内フラップ１５を折り曲げた後、外フラップ１９を折り曲げ、第１係止孔１６に係止片２１を挿入係止する。ついで、連続部２８を折り曲げながら蓋壁２３を折り曲げ、係止片２５を挿入係止する。これにより、図１１に示すように、外周部１０の縦方向の一端縁から所定間隔をもった位置を前記閉塞壁４１で閉塞し、他端縁を蓋壁２３で閉塞した封緘状態とすることができる。
【００５４】
このように、第２実施形態の包装箱は、第１実施形態と比較すると２つのブランクにより構成されるが、これらの貼着壁７０および底壁７６を含む貼着が必要な箇所を貼着した状態で、所定商品の販売先に納品するため、使用時には貼着作業が不要であり、所定部位を折り曲げて係止片２１，２５，４５を挿入係止するだけで、組み立てることができる。そのため、組立作業性を向上できる。しかも、納品時および非使用時には図７に示す平坦な状態に折り畳んだ状態とすることができるため、簡単に積み重ねることが可能であり、広い保管スペースも不要である。
【００５５】
一方、この包装箱に収容した商品を店頭で展示する場合には、前記とは逆に、図１０に示すように、係止片２５を外周部１０から引き抜いて蓋壁２３の側を開放させるとともに、第１係止孔１６から係止片２１を引き抜いて外周部１０の一側を開放する。
【００５６】
この状態で、第２および第３外壁１２，１３が第１外壁１１に対して平坦になるように展開させる。これにより、第２および第３外壁１２，１３と一緒に貼着部５３が展開されることにより、起上部４６が連動して平坦になるように展開される。その結果、この起上部４６が連続した閉塞壁４１が図９中右側に押し出されることにより、閉塞壁４１と貼着壁７０との境界部分を支点として、これらが平坦になるように展開される。これに従って、商品を収容した内容器５４は、その第４壁部６０の下端部を摺動部として第１外壁１１に沿って押し出される。この際、本実施形態では、第４壁部６０と底壁７６との間に面取部７４を設けているため、引っ掛かりを抑制し、十分な摺動作用を得ることができる。
【００５７】
そして、第２および第３外壁１２，１３を第１外壁１１に対して完全に平坦な状態に展開すると、図８に示すように、閉塞壁４１および底壁７６が第１外壁１１に重畳し、閉塞壁４１の先端において、水平方向に延びるように位置する第１外壁１１に対して、内容器５４が垂直方向に起立した状態をなす。
【００５８】
このように、第２実施形態の包装箱は、第１実施形態と同様に、展示状態とする際には、商品を取り出すことなく、所定の係止片２１，２５を外して展開するだけで、予め設定した展示状態とすることができる。しかも、この展示作業は、内容器５４に収容した横倒し状態の商品が、展開に連動して押し出すように起立するものであるため、販売商品以外にも包装箱自体にインパクトがあり、販売促進効果も得ることができる。また、展示状態では、第１実施形態と比較すると、内容器５４が展開状態の略中央に位置するため、安定感を与えることができるうえ、第１実施形態と同様に、裏面に販売商品に従った広告を印刷しておくことにより、更に販売促進効果を得ることができる。
【００５９】
なお、本発明の包装箱は、前記実施形態の構成に限定されるものではなく、種々の変更が可能である。
【００６０】
例えば、第２実施形態では、包装箱本体６７と内容器５４とを別体のブランクで構成したが、図１３に示すように、連続した一枚のブランクとして構成することもできる。但し、一枚のブランクで形成した場合には、組立状態の内容器５４は、その外面側に原紙の裏面が位置するため、前述のように、裏面には広告を印刷することが好ましい。
【００６１】
また、第２実施形態では、第４壁部６０と底壁７６との間に１面の面取部７４を設けたが、細幅からなる複数の面取部７４を設けることにより、外形が円弧面に近似するように構成してもよい。さらに、第２実施形態では、第１外壁１１と閉塞壁４１とを第１折返部３６を介して連設したが、この第１折返部３６は設けない構成としてもよい。
【００６２】
そして、各実施形態では、外周部１０を断面四角形状に形成したが、その角数は希望に応じて変更が可能である。同様に、内容器５４の角数も希望に応じて変更が可能であるうえ、外周部１０と内容器５４の角数は、異なるように構成してもよい。
【００６３】
しかも、各実施形態では、外周部１０の一面は、一体に設けたフラップ１５，１９で閉塞する構成としたが、これらフラップ１５，１９は設けることなく、別体の蓋部材で閉塞してもよい。同様に、蓋壁２３を設けることなく、外周部１０の一端を蓋部材により閉塞してもよい。
【００６４】
さらに、前記実施形態では、閉塞壁４１の両側縁に第２および第３外壁１２，１３と連続する起上部４６を設けたが、一方の第２外壁１２との間のみ設ける構成としてもよい。
【００６５】
さらにまた、前記実施形態では、１個の外周部１０に１個の内容器５４を設けたが、例えば、第１の包装箱の第２外壁１２に第２の包装箱の第３外壁１３を隣接させ、これらの上端を連設した２ユニット形式の外周部１０を形成し、各ユニットにそれぞれ内容器５４を配設することにより、２ユニット以上の包装箱を形成することもできる。この場合、天地の方向性がない商品を収容する場合には、内容器５４，５４の開口端の方向を互いに逆向きとしてもよい。
【図面の簡単な説明】
【００６６】
【図１】本発明の第１実施形態の包装箱を平坦にした状態を示す底面斜視図である。
【図２】第１実施形態の包装箱の展示状態を示す斜視図である。
【図３】第１実施形態の包装箱の組立過程および展開過程を示す斜視図である。
【図４】第１実施形態の包装箱の他の組立過程および他の展開過程を示す斜視図である。
【図５】第１実施形態の包装箱の封緘状態を示す斜視図である。
【図６】第１実施形態の包装箱のブランクを示す平面図である。
【図７】第２実施形態の包装箱を平坦にした状態を示す底面斜視図である。
【図８】第２実施形態の包装箱の展示状態を示す斜視図である。
【図９】第２実施形態の包装箱の組立過程および展開過程を示す斜視図である。
【図１０】第２実施形態の包装箱の他の組立過程および他の展開過程を示す斜視図である。
【図１１】第２実施形態の包装箱の封緘状態を示す斜視図である。
【図１２】第２実施形態の包装箱のブランクを示し、（Ａ）は包装箱本体の平面図、（Ｂ）は内容器の平面図である。
【図１３】第２実施形態の変形例の包装箱のブランクを示す平面図である。
【符号の説明】
【００６７】
１０…外周部
１１…第１外壁
１２…第２外壁
１３…第３外壁
１５…内フラップ（第４の外壁）
１９…外フラップ（第４の外壁）
２３…蓋壁
２８…連続部
３６…第１折返部
３７…第２折返部
３８…第３折返部
４１…閉塞壁
４６…起上部
４８，６９…折曲線
５２…非貼着部
５３…貼着部
５４…内容器
５５…内筒部
【図１】
2008105721.tif 000003
【図２】
2008105721.tif 000004
【図３】
2008105721.tif 000005
【図４】
2008105721.tif 000006
【図５】
2008105721.tif 000007
【図６】
2008105721.tif 000008
【図７】
2008105721.tif 000009
【図８】
2008105721.tif 000010
【図９】
2008105721.tif 000011
【図１０】
2008105721.tif 000012
【図１１】
2008105721.tif 000013
【図１２】
2008105721.tif 000014
【図１３】
2008105721.tif 000015